(57)【要約】      （修正有）【課題】乳首部を含む乳房に、圧迫感を受けることなく着用することができ、バストを常に正しく固定保持して胸のクーパー靭帯にダメージを受けることなく健全なバストを良好に保持するブラジャーを提供する。【解決手段】中央部で連結した左右両側のカップ１０１、１０２を有し、各カップにサイドボーン１０４、１０５を連結し、サイドボーンに連結ホック１０６、１０７を設け、カップの上部とサイドボーンをストラップ１０８、１０９で連結したブラジャーＢＲにおいて、両カップには、その乳房収容部の中央部に乳首とその周囲を露出するフリー空間部１１１、１１２を形成した。【選択図】図１
0003230600.tif 000002
【実用新案登録請求の範囲】
【請求項１】
中央部で連結した左右両側のカップを有し、各カップにサイドボーンを連結し、サイドボーンに連結ホックを設け、前記カップの上部とサイドボーンをストラップで連結したブラジャーにおいて、前記両カップには、その乳房収容部の中央部に乳首とその周囲を露出するフリー空間部を形成したことを特徴とするブラジャー。
【考案の詳細な説明】
【技術分野】
【０００１】  本考案は、個性的な乳房をより魅力的に見せることが可能なブラジャーに関する
【背景技術】
【０００２】  ブラジャーは、女性が胸部に着用する下着（アンダーウェア）のトップスである。（通称：ブラ）乳房の形はクーパー靭帯と呼ばれる繊維の束によって保たれている。特に乳房上部の乳腺と皮下脂肪で発達する事で、乳房を吊るすように支えている。このクーパー靭帯は乳房の揺れなどの刺激によって一度伸びきってしまうと元に戻らない為、ブラジャーと呼ばれる下着を着用することが重要である。【０００３】  ブラジャーはボディファッションの中でも「ファンデーション」に分類される。ランジェリーとは機能や役割が違う。主にデザインや装飾性の高いランジェリーと比較してボディラインを綺麗に整えるのがファンデーションである。メイクのファンデーションと同じ意味合いで大切な基礎となる「土台」のことである。【０００４】  ブラジャー（ファンデーション）の役割は・胸の形を整えたり、バストを大きく見せるバストアップ効果、背中や脇の上半身をすっきり見せるなどバストの保護・ボディラインを美しく整える・快適に動けるよう身体をサポートする・下垂しやすいバストを整えるなどが挙げられる。これがブラジャーを着用する理由である。そしてこの役割を果たすために重要なのが身体へのフィット感と着用感（サイズ感）である。
バストの大きさや形、心地よい着用感はひとりひとりがまったく違うため、さまざまなデザインや形・素材がある。自分の身体に合うブラジャーを着用することが大切である。そのブラジャーが上記のような役割をしっかり果たしてくれて自分が「心地よい」と感じるブラジャーが理想である。【０００５】  而して、例えば、バストがＡカップの女性は重さとして２５０ｇ程度はあると言われており、ブラなしだとクーパー靭帯はダメージを受けやすくなる為、ブラは必要不可欠である。クーパー靭帯の伸び：メッシュ状になった靭帯が刺激を受け、次第に緩んで乳房を支えきれなくなる。乳房と大胸筋のズレ：乳房は後ろ側で膜状の組織を作り、大胸筋の筋膜と弱い結合組織で繋がっているが長期にわたる刺激で２つの膜の間にズレが生じ、乳房そのものの位置が下がる。【０００６】  即ち、脂肪細胞の増大と加齢によるホルモン変化で乳腺の細胞が萎縮すると、空いた部分に脂肪細胞が入り込み乳房に重みが加わるほか、乳腺が脂肪に置き換わる事でやわらかくなり、下垂する。脂肪細胞の増大：加齢によるホルモン変化で乳腺の細胞が萎縮すると、空いた部分に脂肪細胞が入り込み乳房に重みが加わるほか、乳腺が脂肪に置き換わる事でやわらかくなり、下垂する。細胞の統合性の乱れ：乳房内の細胞や繊維は一定の統制力の元に調和し合って存在しているが、刺激を受け続ける内に調和のバランスが取れなくなって乳房を支える力を失う。【０００７】  一般調査によれば、乳房は形が崩れていない状態から、削げる（上胸のボリュームがなくなる）、たわむ（バスト下部がたわんで乳頭が下向きになる）、流れる（バストが外に流れ、バスト自体が下がる）という形で崩れていく事が判っており、バストの形状にあった適切なブラジャーを選ばないとすき間が生まれ、正しく固定されない事でクーパー靭帯がダメージを受けやすくなる。またブラジャーはバストを保つだけでなく、洋服を綺麗に着る為のおしゃれ（整形）でもある為、削げたらワイヤー入りで乳房を寄せて上げるブラジャーを、たわんだらカップ内側に伸縮性のあるシート付きブラジャーで乳房全体を引き上げる事などが必要と言われている。【０００８】  また同時に乳房を魅力的に見せたいという要求がある。ところで、乳房の大きさや位置・間隔は各個人によって千差万別であり、大きさについては、パット等を用いることにより望みの大きさに見せることが可能であるものの、乳房の位置・間隔、例えば上下左右位置までは、市販されている既製品通りに制限されていて、各個人で微調整して望みの形に見せたいという要望はかなえられていない。もっとも、肩紐を長さ調節したり、カップの左右間隔をつめて短くしたり、左右間隔が異なる他のブラジャーと替えるなどすれば、ある程度まで調整可能ではある。斯様に、乳房を魅力的に見せられるもの、そして、各人が望みの見せたい形に簡単に調整可能であるものは未だ出現していない。
【考案の開示】
【考案が解決しようとする課題】
【０００９】  本考案は、第１に、下着として着用されて衣服の下に隠れてしまうという使用形態の特性を利用して、乳房をより魅力的に見せることが可能なブラジャーを提供する。第２に、乳房の位置・間隔を望み通りに微調整して見せることが可能なブラジャーを提供する。第３に、乳首が圧迫されずに済むフリー乳首ブラジャーを提供する。
【課題を解決するための手段】
【００１０】  上記課題を満足させる本考案における主な技術構成は、次の（１）の通りである。
（１）、中央部で連結した左右両側のカップを有し、各カップにサイドボーンを連結し、サイドボーンに連結ホックを設け、前記カップの上部とサイドボーンをストラップで連結したブラジャーにおいて、前記両カップには、その乳房収容部の中央部に乳首とその周囲を露出するフリー空間部を形成したことを特徴とするブラジャー。
【考案の効果】
【００１１】  本考案のブラジャーは、カップの頂部になる乳首周辺をフリー空間部にして乳首部を衣服を通して顕在化して、その存在感を強調することになるので、衣服を通して、本物の個性ある乳房をより魅力的に浮き彫りにして見せることができる。さらに、フリー空間部において乳首部を適宜移動させて乳首周辺の位置・間隔を望み通りに微調整することが可能になる。さらに、乳房すなわち乳首の位置や形状に応じてフリー空間部の位置を任意に設定すれば乳房すなわち乳首の位置や形状を生かして乳房の魅力度合いを微調整しての乳房保持機能を発揮することができる。さらに、フリー空間部内に乳首部を含む乳房中心部が収まることで、圧迫感を受けることなく着用することができる等々の優れた作用効果を呈してバストは常に正しく安定保持されてクーパー靭帯のダメージを受けることなく健全なバストを良好に保持するのである。
【図面の簡単な説明】
【００１２】
【図１】本考案の実施例１を示す全体の正面鳥瞰説明図である。
【図２−１】本考案の実施例２示す全体正面説明図である。
【図２−２】本考案の実施例３示す全体正面説明図である。
【図２−３】本考案の実施例４示す全体正面説明図である。
【考案を実施するための形態】
【００１３】本考案を実施するための形態を図１、図２−１〜図２−３に示す実施例により詳細に説明する。
図１において、実施例１のブラジャーＢＲは、左右両側のカップ１０１，１０２をモチーフ１０３で連結し、各カップ１０１，１０２の端部にサイドボーン１０４，１０５を連結し、サイドボーン１０４，１０５に連結ホック１０６（メス）、１０７（オス）を設け、前記各カップ１０１，１０２の上部と各サイドボーン１０４，１０５をストラップ１０８，１０９で連結してある。
そこで前記両カップ１０１，１０２には、その乳房収容部の中央部に乳首とその周囲を露出するフリー空間部１１１，１１２を形成してある。
【００１４】＜フリー空間部１１１，１１２の形状例について＞
（１）、図２−１の実施例２のフルカップブラジャーＢＲ−１は、カップ中央部に真円のフリー空間部１１１−１，１１２−１を形成してバスト乳首の下方からの中央寄せ矯正効果とバストアップ効果を強調するタイプである。
（２）、また図２−２の実施例３の３／４カップブラジャーＢＲ−２は、カップ中央部から若干上方寄りの斜め楕円のフリー空間部１１１−２，１１２−２を形成して特にバスト垂れ防止と乳首アップ効果を強調するタイプにする。
（３）、更に図２−３の実施例３のハーフカップブラジャーＢＲ−３は、カップ中央部に縦楕円型のフリー空間部１１１−３，１１２−３を形成してバスト乳首の側方からの中央寄せ矯正効果と乳首アップ効果を強調するタイプである。
前記各フリー空間部は、この例に限らずバストの形状と本人の好みに合わせていろいろな変形に矯正可能な空間形状にして乳房と浮き出る乳首の魅力度合いを調整可能にすることができる。
【産業上の利用可能性】
【００１５】  本考案のブラジャーは、前述の優れた作用効果を呈するので女性なら誰にも好まれるブラジャーであり、一般家庭では勿論、下着産業に寄与と発展に貢献すること多大なものがある。
【符号の説明】
【００１６】ＢＲ：ブラジャー
１０１，１０２：カップ
１０３：モチーフ
１０４，１０５：サイドボーン
１０６（メス）、１０７（オス）：連結ホック
１０８，１０９：ストラップ
１１１，１１２：フリー空間部
ＢＲ−１：フルカップブラジャー
１１１−１，１１２−１：真円のフリー空間部
ＢＲ−２：３／４ブラジャー
１１１−２，１１２−２：斜め楕円のフリー空間部
ＢＲ−３：ハーフカップブラジャー
１１１−３，１１２−３：縦楕円型のフリー空間部
【図１】
0003230600.tif 000003
【図２−１】
0003230600.tif 000004
【図２−２】
0003230600.tif 000005
【図２−３】
0003230600.tif 000006